(57)【特許請求の範囲】
【請求項１】
筐体の一面である表示面に設けられ、立体画像を表示する立体表示部と、
前記筐体の表示面以外の面または前記筐体の内部に設けられた意匠を示す画像情報と当該意匠を表示させる位置を記憶する意匠記憶部と、
前記意匠記憶部が記憶する意匠の画像情報を当該意匠に関連付けて記憶された位置に配置した立体画像を生成する画像生成部と、
前記画像生成部が生成した前記立体画像を前記立体表示部に表示させる表示制御部と
を備え、
前記意匠記憶部が記憶する位置のうち奥行き方向の位置は、前記筐体の表示面に直交する方向である厚さ方向の長さ以下である
ことを特徴とする情報表示装置。
【請求項２】
前記筐体の表示面以外の面に設けられ、情報を表示する表示デバイスを備え、
前記画像生成部は、当該表示デバイスの制御によって表示される情報を示す画像情報を前記表示デバイスに関連付けて前記意匠記憶部に記憶された位置に配置した立体画像を生成する
ことを特徴とする請求項１に記載の情報表示装置。
【請求項３】
前記筐体の表示面以外の面に設けられ、利用者による操作を受け付ける操作デバイスを備え、
前記画像生成部は、前記操作デバイスの制御に応じて当該操作デバイスの意匠を変化させた立体画像を生成する
ことを特徴とする請求項１または請求項２に記載の情報表示装置。
【請求項４】
前記画像生成部は、所定の条件に応じて前記立体画像に何れの意匠を含めるかを決定する
ことを特徴とする請求項１から請求項３の何れか１項に記載の情報表示装置。
【請求項５】
前記筐体の表示面に設けられた対物系から入射する物体項により形成される立体画像を撮像する撮像部を備え、
前記画像生成部は、前記撮像部が撮像した立体画像の鏡像を含む立体画像を生成する
ことを特徴とする請求項１から請求項４の何れか１項に記載の情報表示装置。
【請求項６】
筐体の一面である表示面に設けられ、立体画像を表示する立体表示部を備える情報表示装置の表示制御方法であって、
前記筐体の表示面以外の面または前記筐体の内部に設けられた意匠を示す画像情報と当該意匠を表示させる位置を記憶する意匠記憶部が記憶する意匠の画像情報を当該意匠に関連付けて記憶された位置に配置した立体画像を生成するステップと、
生成された前記立体画像を前記立体表示部に表示させるステップを有し、
前記意匠記憶部が記憶する位置のうち奥行き方向の位置が、前記筐体の表示面に直交する方向である厚さ方向の長さ以下である
ことを特徴とする表示制御方法。
【請求項７】
筐体の一面である表示面に設けられ、立体画像を表示する立体表示部を備える情報表示装置を、
前記筐体の表示面以外の面または前記筐体の内部に設けられた意匠を示す画像情報と当該意匠を表示させる位置を記憶する意匠記憶部、
前記意匠記憶部が記憶する意匠の画像情報を当該意匠に関連付けて記憶された位置に配置した立体画像を生成する画像生成部、
前記画像生成部が生成した前記立体画像を前記立体表示部に表示させる表示制御部
として機能させ、
前記意匠記憶部が記憶する位置のうち奥行き方向の位置が、前記筐体の表示面に直交する方向である厚さ方向の長さ以下である
プログラム。
【発明の詳細な説明】
【技術分野】
【０００１】
本発明は、立体画像を表示する情報表示装置、表示制御方法及びプログラムに関する。
【背景技術】
【０００２】
近年、立体画像を表示することができるディスプレイが開発されている。立体画像を表示することができるディスプレイは、テレビやＰＣの他、携帯電話端末などの小型端末にも設けられる。
【０００３】
なお、特許文献１には、複数の表示パネルを重ねて搭載し、表示内容が重ならないように、前面の表示物に相当する範囲の、後面の表示パネルを無模様にする技術が開示されている。
また、特許文献２には、複数の表示枠を自動的に効率的かつ見やすく配置する方法が開示されている。
【先行技術文献】
【特許文献】
【０００４】
【特許文献１】特開２００７−２３３０７４号公報
【特許文献２】特開平０５−１３４８３４号公報
【発明の概要】
【発明が解決しようとする課題】
【０００５】
しかしながら、小型端末に立体画像を表示させる場合であっても、その奥行き方向の深度には特に制限を有しない。そのため、筐体より奥側にオブジェクトが配置されるような立体画像や、筐体より手前側に配置されるような立体画像が表示されうる。そのため、立体画像が筐体の内部に存在しているようには見えず、現実味に欠ける立体画像となってしまうという問題があった。
【課題を解決するための手段】
【０００６】
本発明は上記の課題を解決するためになされたものであり、筐体の一面である表示面に設けられ、立体画像を表示する立体表示部と、前記筐体の表示面以外の面または前記筐体の内部に設けられた意匠を示す画像情報と当該意匠を表示させる位置を記憶する意匠記憶部と、前記意匠記憶部が記憶する意匠の画像情報を当該意匠に関連付けて記憶された位置に配置した立体画像を生成する画像生成部と、前記画像生成部が生成した前記立体画像を前記立体表示部に表示させる表示制御部とを備え、前記意匠記憶部が記憶する位置のうち奥行き方向の位置は、前記筐体の表示面に直交する方向である厚さ方向の長さ以下であることを特徴とする情報表示装置である。
【０００７】
また、本発明は、筐体の一面である表示面に設けられ、立体画像を表示する立体表示部を備える情報表示装置の表示制御方法であって、前記筐体の表示面以外の面または前記筐体の内部に設けられた意匠を示す画像情報と当該意匠を表示させる位置を記憶する意匠記憶部が記憶する意匠の画像情報を当該意匠に関連付けて記憶された位置に配置した立体画像を生成するステップと、生成された前記立体画像を前記立体表示部に表示させるステップを有し、前記意匠記憶部が記憶する位置のうち奥行き方向の位置が、前記筐体の表示面に直交する方向である厚さ方向の長さ以下であることを特徴とする。
【０００８】
また、本発明は、筐体の一面である表示面に設けられ、立体画像を表示する立体表示部を備える情報表示装置を、前記筐体の表示面以外の面または前記筐体の内部に設けられた意匠を示す画像情報と当該意匠を表示させる位置を記憶する意匠記憶部、前記意匠記憶部が記憶する意匠の画像情報を当該意匠に関連付けて記憶された位置に配置した立体画像を生成する画像生成部、前記画像生成部が生成した前記立体画像を前記立体表示部に表示させる表示制御部として機能させ、前記意匠記憶部が記憶する位置のうち奥行き方向の位置が、前記筐体の表示面に直交する方向である厚さ方向の長さ以下であるプログラムである。
【発明の効果】
【０００９】
本発明によれば、表示制御部は、筐体の厚さ方向の長さ以下の深度を有する立体画像を立体表示部に表示させる。これにより、立体画像に含まれる各オブジェクトがあたかも筐体の内部に存在しているように見せることができる。したがって、本発明による情報表示装置は、現実味のある立体画像を表示させることができる。
【図面の簡単な説明】
【００１０】
【図１】本発明の第１の実施形態による携帯電話端末の外観を示す概略図である。
【図２】本発明の第１の実施形態による携帯電話端末の機能を示す概略ブロック図である。
【図３】意匠記憶部が記憶する情報の例を示す図である。
【図４】本発明の第１の実施形態による携帯電話端末の動作を示すフローチャートである。
【図５】本発明の第２の実施形態による携帯電話端末の動作を示すフローチャートである。
【図６】本発明の第３の実施形態による携帯電話端末の機能を示す概略ブロック図である。
【図７】本発明の第３の実施形態による携帯電話端末の動作を示すフローチャートである。
【図８】筐体を回転させたときにディスプレイに表示される立体画像の様子を示す図である。
【図９】本発明の第４の実施形態による携帯電話端末の外観を示す概略図である。
【図１０】本発明の第４の実施形態による携帯電話端末の機能を示す概略ブロック図である。
【発明を実施するための形態】
【００１１】
《第１の実施形態》
以下、図面を参照しながら本発明の実施形態について詳しく説明する。
図１は、本発明の第１の実施形態による携帯電話端末１の外観を示す概略図である。
携帯電話端末１（情報表示装置）は、筐体１１、ディスプレイ１２（立体表示部）、表示デバイス１３、操作デバイス１４を備える。
筐体１１は、携帯電話端末１の外郭をなす筐体である。なお、筐体１１の背面（筐体１１を把持した際に使用者に対向する面の反対側の面）には、模様１５が描かれている。
ディスプレイ１２は、コンピュータの制御により立体画像を表示する。なお、ディスプレイ１２は、筐体１１の正面（筐体１１を把持した際に使用者に対向する面：表示面）に設けられる。
表示デバイス１３は、ＬＥＤ等の表示デバイスであり、携帯電話端末１への着信があったときに点灯する。なお、表示デバイス１３は、筐体１１の背面に設けられる。
操作デバイス１４は、ボタンやタッチパネル等の操作デバイスであり、ユーザは、操作デバイス１４を押下することで携帯電話端末１に対する操作を行うことができる。なお、操作デバイス１４は、筐体１１の背面に設けられる。
【００１２】
図２は、本発明の第１の実施形態による携帯電話端末１の機能を示す概略ブロック図である。
また、携帯電話端末１は、内部にコンピュータ（図示せず）を備えている。そして、コンピュータ読み取り可能な記録媒体（図示せず）に記憶されているプログラムをコンピュータが読み出して実行することで、携帯電話端末１は、意匠記憶部１０１、画像生成部１０２、表示制御部１０３、通信部１０４、着信通知部１０５、入力部１０６、計時部１０７を備える。
【００１３】
意匠記憶部１０１は、筐体１１の内部または筐体１１の背面に施された意匠の識別情報と、当該意匠の画像情報と、当該意匠が配置されている位置とを、関連付けて記憶する。なお、本明細書において「意匠」とは、形状、模様、色彩またはこれらの結合のことを示す。本実施形態においては、表示デバイス１３、操作デバイス１４、模様１５が意匠に該当する。また、筐体１１の内部に施された意匠の例としては、携帯電話端末１に内蔵されるセンサなどの部品が挙げられる。
【００１４】
画像生成部１０２は、意匠記憶部１０１が記憶する意匠の画像情報及び位置を用いて、筐体１１の厚さ方向の長さと同じ深度を有する立体画像を生成する。なお、筐体１１の背面が丸みを帯びている場合など、筐体１１の厚さ方向の長さが筐体１１の各点において異なる場合があるが、この場合、画像生成部１０２は、筐体１１の各点において厚さ方向の長さと同じ深度となる立体画像を生成する。
表示制御部１０３は、画像生成部１０２が生成した画像をディスプレイ１２に表示させる。
通信部１０４は、他の装置との通信を行う。
着信通知部１０５は、通信部１０４が他の装置からの呼を着信した場合に、表示デバイス１３に着信の旨を表示させる。
入力部１０６は、操作デバイス１４の押下を検出する。
計時部１０７は、最後に操作デバイス１４が操作された時刻からの経過時間を計測する。
【００１５】
図３は、意匠記憶部１０１が記憶する情報の例を示す図である。
意匠記憶部１０１は、意匠の識別情報と意匠の位置を示す位置情報とを関連付けて格納する位置テーブルと、意匠の識別情報と意匠の画像情報と当該画像情報を表示させる条件とを関連付けて格納する画像テーブルとを記憶する。
また、意匠記憶部１０１は、意匠が立体的形状である場合、意匠の画像情報として３次元グラフィックで当該意匠を表した画像情報を記憶し、意匠が模様などの平面である場合、意匠の画像情報として２次元グラフィックで当該意匠を表した画像情報を記憶する。また、ある条件において意匠の形態が経時的に変化する場合、意匠記憶部１０１は、画像情報として動画像を記憶する。なお、本実施形態では、意匠記憶部１０１が記憶する操作デバイス１４の画像情報として、操作デバイス１４の形状を模した画像情報を用いる場合を説明するが、これに限られず、操作デバイス１４に相当する形状であって操作デバイス１４と異なる形状の画像情報を、操作デバイス１４の画像情報として用いても良い。即ち、意匠記憶部１０１が意匠の画像情報として記憶する画像情報は、実際の意匠の形状と異なるものであっても良い。
また、意匠記憶部１０１が記憶する位置情報は、ディスプレイ１２の左上の位置を基準としたときの縦方向の位置、横方向の位置、及び奥行き方向の位置を表す。また、当該位置情報は、必ずしも実際の意匠の位置と一致している必要は無い。例えば、サブディスプレイが側面に設けられている場合、立体画像にサブディスプレイの意匠が表れなくなってしまうため、立体画像に表れるよう当該意匠に関連付けられた位置情報を実際の位置と異なる位置にすることが好ましい。
【００１６】
次に、本発明の第１の実施形態による携帯電話端末１の動作を説明する。
図４は、本発明の第１の実施形態による携帯電話端末１の動作を示すフローチャートである。
使用者の操作により携帯電話端末１が起動すると、計時部１０７は、起動した時刻からの経過時間の計時を開始する（ステップＳ１）。次に、画像生成部１０２は、携帯電話端末１の操作の用に供される画像（例えば、待ち受け画面、メニュー画面、ブラウザ画面、メーラ画面など）を生成し、仮想空間の深度０の位置に当該画像を配置する（ステップＳ２）。次に、通信部１０４は、他の装置からの呼を着信したか否かを判定する（ステップＳ３）。
【００１７】
通信部１０４が、他の装置からの呼を着信していないと判定した場合（ステップＳ３：ＮＯ）、画像生成部１０２は、表示デバイス１３に関連付けられた画像情報のうち、条件が「着信なし」である画像情報を意匠記憶部１０１の画像テーブルから読み出す（ステップＳ４）。
他方、通信部１０４が、他の装置からの呼を着信したと判定した場合（ステップＳ３：ＹＥＳ）、着信通知部１０５は、表示デバイス１３に着信の旨を表示させる（ステップＳ５）。なお、当該着信の旨の表示は、意匠記憶部１０１の画像テーブルにおける表示デバイス１３の着信ありの条件に関連付けられた画像情報と同じパターンで行われる。次に、画像生成部１０２は、表示デバイス１３に関連付けられた画像情報のうち、条件が「着信あり」である画像情報を意匠記憶部１０１の画像テーブルから読み出す（ステップＳ６）。
【００１８】
画像生成部１０２は、ステップＳ４またはステップＳ６で表示デバイス１３の画像情報を読み出すと、表示デバイス１３に関連付けられた位置情報を意匠記憶部１０１の位置テーブルから読み出す。そして、ステップＳ４またはステップＳ６で読み出した画像情報を、仮想空間における位置情報が示す位置に配置する（ステップＳ７）。
これにより、表示デバイス１３の表示内容は、表示デバイス１３の実際の位置に再現される。
【００１９】
次に、入力部１０６は、使用者による操作デバイス１４の操作を受け付けたか否かを判定する（ステップＳ８）。
入力部１０６が、使用者からの操作を受け付けていないと判定した場合（ステップＳ８：ＮＯ）、画像生成部１０２は、操作デバイス１４に関連付けられた画像情報のうち、条件が「ボタン押下なし」である画像情報を意匠記憶部１０１の画像テーブルから読み出す（ステップＳ９）。
他方、入力部１０６が、操作デバイス１４の何れかのボタンの押下を受け付けたと判定した場合（ステップＳ８：ＹＥＳ）、計時部１０７は、現在計時している経過時間をリセットし、現在の時刻からの経過時間の計時を開始する（ステップＳ１０）。また、画像生成部１０２は、操作デバイス１４に関連付けられた画像情報のうち、押下されたボタンを示す条件に関連付けられた画像情報を、意匠記憶部１０１の画像テーブルから読み出す（ステップＳ１１）。
【００２０】
画像生成部１０２は、ステップＳ９またはステップＳ１１で操作デバイス１４の画像情報を読み出すと、操作デバイス１４に関連付けられた位置情報を意匠記憶部１０１の位置テーブルから読み出す。そして、ステップＳ９またはステップＳ１１で読み出した画像情報を、仮想空間における位置情報が示す位置に配置する（ステップＳ１２）。
これにより、操作デバイス１４の表示内容は、操作デバイス１４の実際の位置に再現される。
【００２１】
次に、計時部１０７は、計時している経過時間が所定の時間を過ぎているか否かを判定する（ステップＳ１３）。計時部１０７が計時している経過時間が所定の時間を過ぎている場合（ステップＳ１３：ＹＥＳ）、画像生成部１０２は、模様１５に関連付けられた画像情報を、意匠記憶部１０１の画像テーブルから読み出す（ステップＳ１４）。次に、画像生成部１０２は、模様１５に関連付けられた位置情報を意匠記憶部１０１の位置テーブルから読み出し、模様１５の画像情報を、仮想空間における位置情報が示す位置に配置する（ステップＳ１５）。
これにより、操作デバイスへの操作が所定の時間なかった場合に、スクリーンセーバーとして筐体１１の表面に施された模様１５をディスプレイ１２に表示させることができる。
【００２２】
ステップＳ１５で画像生成部１０２が仮想空間に模様１５の画像情報を配置した場合、またはステップＳ１３において、計時部１０７が計時している経過時間が所定の時間を過ぎていない場合（ステップＳ１３：ＮＯ）、画像生成部１０２は、仮想空間に配置された複数の画像から、立体画像を生成する（ステップＳ１６）。具体的には、仮想空間に配置された複数の画像のうち、深度が高い（奥行き方向の座標の値が大きい）画像ほど左右の視差が大きくなるように立体画像を生成する。
【００２３】
次に、表示制御部１０３は、画像生成部１０２が生成した画像をディスプレイ１２に表示させる（ステップＳ１７）。
次に、携帯電話端末１は、使用者などによる操作や割り込み処理などにより、外部から処理の終了要求を入力したか否かを判定する（ステップＳ１８）。携帯電話端末１は、外部から終了要求を入力していないと判定した場合（ステップＳ１８：ＮＯ）、ステップＳ２に戻り、次の画面を示す画像の作成を行う。他方、携帯電話端末１は、外部から終了要求を入力したと判定した場合（ステップＳ１８：ＹＥＳ）、処理を終了する。
【００２４】
なお、仮想空間において意匠の画像情報は、それぞれ意匠記憶部１０１の位置テーブルが格納する位置情報が示す位置に配置される。そして、位置情報が示す位置は、意匠の実際の位置に相当する位置である。各意匠は筐体１１の裏面または内部に配置されるため、仮想空間において意匠の画像情報が配置される奥行き方向の位置は、筐体１１の厚さ方向の長さ以内の位置となる。したがって、表示制御部１０３がディスプレイ１２に表示させる立体画像の深度は、筐体１１の厚さ方向の長さ以下となる。これにより、立体画像に含まれる各意匠があたかも筐体１１の内部に存在しているように見せることができる。したがって、携帯電話端末１は、現実味のある立体画像を表示させることができる。
【００２５】
また、本実施形態によれば、携帯電話端末１の操作の用に供する画像と共に、携帯電話端末１の正面以外に備えられた意匠に相当する表示を行う。これにより、携帯電話端末１が本来持つ機能とその使い勝手を損なわないまま、さらに背面の意匠の状態を使用者に知らせることができる。
【００２６】
《第２の実施形態》
次に、本発明の第２の実施形態について詳しく説明する。
第２の実施形態による携帯電話端末２は、第１の実施形態による携帯電話端末１と異なり、表示デバイス１３、操作デバイス１４が機能を発揮しているときのみ、これらの画像をディスプレイ１２に表示させるものである。
なお、第２の実施形態による携帯電話端末２の外観は、第１の実施形態による携帯電話端末１の外観と同じであり、コンピュータが実行する機能が異なるものである。
【００２７】
次に、本発明の第２の実施形態による携帯電話端末２の動作を説明する。
図５は、本発明の第２の実施形態による携帯電話端末２の動作を示すフローチャートである。なお、第１の実施形態と同じ動作をするステップについては、同じ番号を用いて説明する。
使用者の操作により携帯電話端末２が起動すると、計時部１０７は、起動した時刻からの経過時間の計時を開始する（ステップＳ１）。次に、画像生成部１０２は、携帯電話端末１の操作の用に供される画像を生成し、仮想空間の深度０の位置に当該画像を配置する（ステップＳ２）。次に、通信部１０４は、他の装置からの呼を着信したか否かを判定する（ステップＳ３）。
【００２８】
通信部１０４が、他の装置からの呼を着信したと判定した場合（ステップＳ３：ＹＥＳ）、着信通知部１０５は、表示デバイス１３に着信の旨を表示させる（ステップＳ５）。次に、画像生成部１０２は、表示デバイス１３に関連付けられた画像情報のうち、条件が「着信あり」である画像情報を意匠記憶部１０１の画像テーブルから読み出す（ステップＳ６）。次に、画像生成部１０２は、ステップＳ４またはステップＳ６で表示デバイス１３の画像情報を読み出すと、表示デバイス１３に関連付けられた位置情報を意匠記憶部１０１の位置テーブルから読み出す。そして、ステップＳ４またはステップＳ６で読み出した画像情報を、仮想空間における位置情報が示す位置に配置する（ステップＳ７）。
他方、通信部１０４が、他の装置からの呼を着信していないと判定した場合（ステップＳ３：ＮＯ）、画像生成部１０２は、表示デバイス１３の画像情報の読み出し及び仮想空間への配置を行わない。これにより、着信の発生により、表示デバイス１３が表示を行っている場合のみ、表示デバイス１３の画像が再現される。
【００２９】
ステップＳ７で画像情報を仮想空間に配置した場合、またはステップＳ３において他の装置からの呼を着信していないと判定した場合（ステップＳ３：ＮＯ）、入力部１０６は、使用者による操作デバイス１４の操作を受け付けたか否かを判定する（ステップＳ８）。
入力部１０６が、操作デバイス１４の何れかのボタンの押下を受け付けたと判定した場合（ステップＳ８：ＹＥＳ）、計時部１０７は、現在計時している経過時間をリセットし、現在の時刻からの経過時間の計時を開始する（ステップＳ１０）。
【００３０】
また、画像生成部１０２は、操作デバイス１４に関連付けられた画像情報のうち、押下されたボタンを示す条件に関連付けられた画像情報を、意匠記憶部１０１の画像テーブルから読み出す（ステップＳ１１）。次に、画像生成部１０２は、操作デバイス１４に関連付けられた位置情報を意匠記憶部１０１の位置テーブルから読み出す。そして、ステップＳ９またはステップＳ１１で読み出した画像情報を、仮想空間における位置情報が示す位置に配置する（ステップＳ１２）。
他方、入力部１０６が、操作デバイス１４の何れのボタンも押下されていないと判定した場合（ステップＳ８：ＮＯ）、画像生成部１０２は、操作デバイス１４の画像情報の読み出し及び仮想空間への配置を行わない。これにより、使用者によって操作デバイス１４が操作されている場合のみ、操作デバイス１４の画像が再現される。
【００３１】
次に、計時部１０７は、計時している経過時間が所定の時間を過ぎているか否かを判定する（ステップＳ１３）。計時部１０７が計時している経過時間が所定の時間を過ぎている場合（ステップＳ１３：ＹＥＳ）、画像生成部１０２は、模様１５に関連付けられた画像情報を、意匠記憶部１０１の画像テーブルから読み出す（ステップＳ１４）。次に、画像生成部１０２は、模様１５に関連付けられた位置情報を意匠記憶部１０１の位置テーブルから読み出し、模様１５の画像情報を、仮想空間における位置情報が示す位置に配置する（ステップＳ１５）。
これにより、操作デバイスへの操作が所定の時間なかった場合に、スクリーンセーバーとして筐体１１の表面に施された模様１５をディスプレイ１２に表示させることができる。
【００３２】
ステップＳ１５で画像生成部１０２が仮想空間に模様１５の画像情報を配置した場合、またはステップＳ１３において、計時部１０７が計時している経過時間が所定の時間を過ぎていない場合（ステップＳ１３：ＮＯ）、画像生成部１０２は、仮想空間に配置された複数の画像から、立体画像を生成する（ステップＳ１６）。
次に、表示制御部１０３は、画像生成部１０２が生成した画像をディスプレイ１２に表示させる（ステップＳ１７）。
次に、携帯電話端末２は、使用者などによる操作や割り込み処理などにより、外部から処理の終了要求を入力したか否かを判定する（ステップＳ１８）。携帯電話端末２は、外部から終了要求を入力していないと判定した場合（ステップＳ１８：ＮＯ）、ステップＳ２に戻り、次の画面を示す画像の作成を行う。他方、携帯電話端末２は、外部から終了要求を入力したと判定した場合（ステップＳ１８：ＹＥＳ）、処理を終了する。
【００３３】
このように、本実施形態によれば、画像生成部１０２は、表示デバイス１３が所定の情報を表示している場合のみ、生成する立体画像に表示デバイス１３の意匠を含め、操作デバイス１４が操作されている場合のみ、生成する立体画像に操作デバイス１４の意匠を含める。これにより、表示デバイス１３や操作デバイス１４が機能を発揮していないときにはこれらの画像がディスプレイ１２に表示されないため、ディスプレイ１２に表示される立体画像が蕪雑になることを防ぐことができる。
【００３４】
《第３の実施形態》
次に、本発明の第３の実施形態について詳しく説明する。
図６は、本発明の第３の実施形態による携帯電話端末３の機能を示す概略ブロック図である。
第３の実施形態による携帯電話端末３は、筐体情報記憶部１０８、画像生成部１０２、表示制御部１０３、加速度検出部１０９を備える。なお、第３の実施形態による携帯電話端末３の外観は、第１の実施形態による携帯電話端末１の外観と同じである。
【００３５】
筐体情報記憶部１０８は、筐体１１のサイズ情報（筐体１１の縦の長さ、横の長さ、及び厚さ方向の長さ）を記憶する。なお、筐体１１の背面が丸みを帯びている場合など、筐体１１の厚さ方向の長さが筐体１１の各点において異なる場合、筐体情報記憶部１０８は、厚さ方向の長さを筐体１１の各点に関連付けて記憶する。
画像生成部１０２は、筐体情報記憶部１０８が記憶する筐体１１のサイズ情報を用いて、筐体１１の厚さ方向の長さと同じ深度を有する立体画像を生成する。
表示制御部１０３は、画像生成部１０２が生成した画像をディスプレイ１２に表示させる。
加速度検出部１０９は、筐体１１に設けられた加速度センサ（図示せず）から加速度を検出することで、筐体１１の傾斜角を測定する。
【００３６】
次に、本発明の第３の実施形態による携帯電話端末３の動作を説明する。
図７は、本発明の第３の実施形態による携帯電話端末３の動作を示すフローチャートである。なお、第１の実施形態と同じ動作をするステップについては、同じ番号を用いて説明する。
使用者の操作により携帯電話端末３が起動すると、画像生成部１０２は、携帯電話端末１の操作の用に供される画像を生成し、仮想空間の深度０の位置に当該画像を配置する（ステップＳ１０１）。次に、画像生成部１０２は、筐体情報記憶部１０８から筐体１１のサイズ情報を読み出し、仮想空間における当該サイズ情報が示す範囲内に、仮想空間を演出するための画像を配置する（ステップＳ１０２）。仮想空間を演出するための画像とは、例えばディスプレイ１２に表示させる仮想空間に魚が泳いでいる様子を演出する場合における魚の画像や、仮想空間に雲が浮かんでいる様子を演出する場合における雲の画像などのことである。
【００３７】
次に、画像生成部１０２は、加速度検出部１０９が算出した筐体１１の奥行き方向の回転軸周りの傾斜角を読み出す。次に、画像生成部１０２は、読み出した傾斜角だけ仮想空間を演出する画像を回転させる（ステップＳ１０３）。
【００３８】
次に、画像生成部１０２は、仮想空間に配置された複数の画像から、立体画像を生成する（ステップＳ１０４）。そして、表示制御部１０３は、画像生成部１０２が生成した画像をディスプレイ１２に表示させる（ステップＳ１０５）。
次に、携帯電話端末３は、使用者などによる操作や割り込み処理などにより、外部から処理の終了要求を入力したか否かを判定する（ステップＳ１０６）。携帯電話端末３は、外部から終了要求を入力していないと判定した場合（ステップＳ１０６：ＮＯ）、ステップＳ１０１に戻り、次の画面を示す画像の作成を行う。他方、携帯電話端末３は、外部から終了要求を入力したと判定した場合（ステップＳ１０６：ＹＥＳ）、処理を終了する。
【００３９】
図８は、筐体１１を回転させたときにディスプレイ１２に表示される立体画像の様子を示す図である。
本実施形態によれば、ステップＳ１０３において筐体１１の傾斜角と同じ角度だけ仮想空間を演出する画像を回転させることで、図８に示すように、仮想空間における上下方向と実際の上下方法とを一致させることができる。
また、本実施形態によれば、表示制御部１０３は、厚さ方向の長さ以下の深度を有する立体画像をディスプレイ１２に表示させる。これにより、仮想空間を演出する画像があたかも筐体１１の内部に存在しているように見せることができる。
【００４０】
《第４の実施形態》
図９は、本発明の第４の実施形態による携帯電話端末４の外観を示す概略図である。
図１０は、本発明の第４の実施形態による携帯電話端末４の機能を示す概略ブロック図である。
第４の実施形態による携帯電話端末４は、第３の実施形態による携帯電話端末３の構成に加え、撮像部１６を備える。
撮像部１６は、筐体１１の正面に設けられた２つの対物系であり、当該２つの対物系は、筐体１１を把持した際に正面の左側と右側とに位置するように配置されている。また、撮像部１６は、２つの対物系から入射するそれぞれの物体光により形成される立体画像を撮像する。なお、撮像部１６は、筐体１１の正面に設けられるため、撮像部１６は、使用者の顔を含む立体画像を撮像することとなる。
そして、画像生成部１０２は、仮想空間を演出するための画像として、仮想的な鏡を仮想空間内に配置し、当該鏡の表面に、撮像部１６が撮像した立体画像を投影する。
これにより、携帯電話端末４を用いて実際の鏡が映すような像をディスプレイ１２に再現することができる。
【００４１】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、第１の実施形態、第２の実施形態では、携帯電話端末１、２の意匠を立体画像として生成し、ディスプレイ１２に表示させる場合を説明したが、これに限られず、携帯電話端末１、２の意匠を平面画像として生成し、ディスプレイ１２に表示させても良い。この場合、現実味のある立体感を得ることはできないが、筐体１１の背面を実際に見ることなく筐体１１の背面の情報を得ることはできる。
【００４２】
また、第１の実施形態、第２の実施形態では、表示デバイス１３の意匠の画像情報を条件毎に意匠記憶部１０１に記憶しておき、画像生成部１０２が各条件に関連付けられた画像情報を含む立体画像を生成する場合を説明したが、これに限られない。例えば、意匠記憶部１０１が表示デバイス１３の意匠の画像情報として幅及び高さのみの情報を記憶し、画像生成部１０２が、携帯電話端末１のＣＰＵの制御によって表示デバイス１３に表示する画像をそのまま立体画像に含めるようにしても良い。つまり、画像生成部１０２が、表示デバイス１３の制御によって表示される情報を示す画像情報を配置した立体画像を生成するための方法は、本明細書に記載した方法に限られない。
【００４３】
また、第１の実施形態、第２の実施形態では、筐体１１の背面に設けられた意匠を表示させる場合を説明したが、これに限られず、例えば筐体１１の内部に設けられた部品などの意匠を表示させるようにしても良い。
【００４４】
また、第１の実施形態、第２の実施形態では、所定の時間の間操作がなされなかった場合に模様１５をディスプレイ１２に表示させる場合を説明したが、これに限られず、模様１５を常時表示させるようにしても良い。
【００４５】
また、第２の実施形態では、着信の発生により、表示デバイス１３が表示を行っている場合のみ、表示デバイス１３の画像が再現され、使用者によって操作デバイス１４が操作されている場合のみ、操作デバイス１４の画像が再現される例について説明したが、表示の切り替えの条件はこれに限られない。例えば、表示デバイス１３、操作デバイス１４の状態に変化があった場合、その後数秒から数十秒の間、表示デバイス１３、操作デバイス１４の画像を再現しても良い。また、表示デバイス１３、操作デバイス１４の状態に変化がない場合であっても、使用者の操作があった場合に、表示デバイス１３、操作デバイス１４の画像を再現するようにしても良い。また、表示デバイス１３、操作デバイス１４に限らず、他の意匠についても、所定の条件に応じて表示・非表示が切り替わるようにしても良い。
【００４６】
また、第３の実施形態では、画像生成部１０２が筐体情報記憶部１０８の情報に基づいて、筐体１１の厚さ方向の長さと同じ深度を有する立体画像を生成し、表示制御部１０３が、当該立体画像をディスプレイ１２に表示させる場合を説明したが、これに限られない。例えば、筐体１１の厚さ方向の長さと同じ深度を有する立体画像を予め記憶する立体画像記憶部を備え、表示制御部１０３が立体画像記憶部に記憶された立体画像をディスプレイ１２に表示するようにしても良い。
なお、立体画像記憶部に記憶された立体画像を表示させる場合は、筐体１１のサイズ毎に異なる深度を有する立体画像を用意する必要があるが、画像生成部１０２が立体画像を生成する場合、携帯電話端末１が各々自端末の条件に合致する立体画像を生成するため、筐体１１のサイズ毎に異なる深度を有する立体画像を用意する必要がない。
【００４７】
また、上述したように、本発明による携帯電話端末は内部に、コンピュータを有している。そして、各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４９】
１、２、３、４…携帯電話端末  １１…筐体  １２…ディスプレイ  １３…表示デバイス  １４…操作デバイス  １５…模様  １６…撮像部  １０１…意匠記憶部  １０２…画像生成部  １０３…表示制御部  １０４…通信部  １０５…着信通知部  １０６…入力部  １０７…計時部  １０８…筐体情報記憶部  １０９…加速度検出部
【図１】
0005776964.tif 000002
【図２】
0005776964.tif 000003
【図３】
0005776964.tif 000004
【図４】
0005776964.tif 000005
【図５】
0005776964.tif 000006
【図６】
0005776964.tif 000007
【図７】
0005776964.tif 000008
【図８】
0005776964.tif 000009
【図９】
0005776964.tif 000010
【図１０】
0005776964.tif 000011